【手続補正書】
【提出日】令和2年4月27日(2020.4.27)
【手続補正１】
【補正対象書類名】特許請求の範囲
【補正対象項目名】全文
【補正方法】変更
【補正の内容】
【特許請求の範囲】
【請求項１】
ポンプ本体と、出力回転軸を有する駆動機構と、前記駆動機構により駆動される少なくとも１つのプランジャペアとを備えるグリースポンピング装置において、
切替弁、およびポンプ本体の中に設けられたレバー機構をさらに備え、
前記切替弁のバルブコアの各弁位置間の切替動作は、レバー機構の揺動動作によって行われ、
前記出力回転軸には、これに追従して回転するトグル部材が連結され、
出力回転軸の正逆往復回転により、トグル部材がレバー機構を正逆方向にトグルしてレバー機構を往復揺動させて切替弁の弁位置を切り替え、
前記レバー機構および前記トグル部材の少なくとも一方は、弾性構造であり、
出力回転軸の正転または逆転時に、前記トグル部材が前記レバー機構に当接してバルブコアを動作させ、
対応する弁位置にバルブコアが切り替えられたとき、弾性構造の弾性変形によりトグル部材とレバー機構とが相対的に摺動することを特徴とするグリースポンピング装置。
【請求項２】
請求項１に記載のグリースポンピング装置において、
前記切替弁がスプール弁構造であることを特徴とするグリースポンピング装置。
【請求項３】
請求項２に記載のグリースポンピング装置において、
前記切替弁が２位置切替弁であることを特徴とするグリースポンピング装置。
【請求項４】
請求項３に記載のグリースポンピング装置において、
前記２位置切替弁が四方切替弁であり、第１弁位置にあるとき、２位置切替弁の第１吐出ポートは、２位置切替弁の吸入ポートに導通し、第２吐出ポートは、前記２位置切替弁の戻りポートに導通し、第２弁位置にあるとき、２位置切替弁の第１吐出ポートは、２位置切替弁の戻りポートに導通し、第２吐出ポートは、前記２位置切替弁の吸入ポートに導通することを特徴とするグリースポンピング装置。
【請求項５】
請求項３に記載のグリースポンピング装置において、
前記２位置切替弁が三方切替弁であり、切替弁が第１弁位置にあるとき、前記２位置切替弁の吸入ポートと前記２位置切替弁の吐出ポートが導通し、切替弁が第２弁位置にあるとき、上記吸入ポート、吐出ポートおよび前記２位置切替弁の戻りポートが互いに導通することを特徴とするグリースポンピング装置。
【請求項６】
請求項３に記載のグリースポンピング装置において、
前記２位置切替弁が二方開閉弁であることを特徴とするグリースポンピング装置。
【請求項７】
請求項１から６のいずれか一項に記載のグリースポンピング装置において、
前記レバー機構は、弾性構造であり、第１、第２レバー体を備える組み合わせ式レバーを備え、
第１レバー体の一端が弁本体に枢着され且つその枢着点が支点を形成し、第１レバー体の他端が第２レバー体に枢着され、
第２レバー体がトグル部材に係合し、
レバー機構は、第１、第２レバー体の枢着点に位置して両レバー体を同一直線上に保持する弾性部材をさらに備え、
弾性部材は、第２レバーがトグル部材からずれた後に第２レバーを第１レバーと同一直線上の位置に復帰させることを特徴とするグリースポンピング装置。
【請求項８】
請求項７に記載のグリースポンピング装置において、
前記弾性部材は、差込口が支点によって第２レバー体に向けられた「Ｕ」字状のばねクリップであり、「Ｕ」字状のばねクリップの差込長さは、第１レバー体の長さよりも長く、かつ、第１、第２レバー体の長さの合計よりも短いことを特徴とするグリースポンピング装置。
【請求項９】
請求項１から６のいずれか一項に記載のグリースポンピング装置において、
前記レバー機構は、弾性構造であり、弁本体に枢着されるロッカーアームおよびロッカーアームの一端に設けられた弾性ブレードを含み、
ロッカーアームと弁本体の枢着点によって支点を構成し、バルブコアがロッカーアームに枢着され、弾性ブレードは、出力回転軸の回転時にトグル部材によって動かされることを特徴とするグリースポンピング装置。
【請求項１０】
請求項９に記載のグリースポンピング装置において、
前記トグル部材のレバー機構に当接する部分にローラが設けられることを特徴とするグリースポンピング装置。
【請求項１１】
請求項１から６のいずれか一項に記載のグリースポンピング装置において、
前記トグル部材は、弾性構造であることを特徴とするグリースポンピング装置。
【請求項１２】
請求項１１に記載のグリースポンピング装置において、
前記レバー機構は揺動アームを含み、前記揺動アームは、前記揺動アームの第１端部を中心に回転可能であり、前記出力回転軸が回転すると、弾性トグル部材が前記揺動アームの第２端部を押すことにより、前記バルブコアを移動させ、前記揺動アームの第２端部の弾性トグル部材に当接する部分にローラが設けられる、ことを特徴とするグリースポンピング装置。
【請求項１３】
請求項１に記載のグリースポンピング装置において、
ポンプ本体には、少なくとも２つのプランジャペアを有し、
各プランジャペアのドレインポートが互いに導通することを特徴とするグリースポンピング装置。
【手続補正２】
【補正対象書類名】明細書
【補正対象項目名】００１２
【補正方法】変更
【補正の内容】
【００１２】
上記の各技術手段のいずれか一つを基に、前記レバー機構は、弾性構造であり、第１、第２レバー体を備える組み合わせ式レバーを備える。第１レバー体の一端が弁本体に枢着され且つその枢着点が支点を形成し、第１レバー体の他端が第２レバー体に枢着される。第２レバー体がトグル部材に係合する。レバー機構は、第１、第２レバー体の枢着点に位置して両レバー体を同一直線線上に保持する弾性部材をさらに備える。弾性部材は、第２レバーがトグル部材からずれた後に第２レバーを第１レバーと同一直線線上の位置に復帰させる。弾性部材によって第２レバー体を第１レバー体に対して一定角度範囲で回転させることができる。それによって、トグル部材で第２レバー体をトグルする際に、弾性部材の作用で第１レバー体もある程度トグルされて、バルブコアの弁位置の切替をさせる。トグル部材が第２レバー体を一定の角度までトグルして第２レバー体からずれると、第２レバー体は、弾性部材の作用で第１レバー体と同一直線上の位置に復帰でき、第２レバー体は当該位置にある時に、トグル部材の回転中に再びトグル部材によってトグルされることができる。
【手続補正３】
【補正対象書類名】明細書
【補正対象項目名】００１７
【補正方法】変更
【補正の内容】
【００１７】
【図１】具体的な実施例におけるグリースポンピング装置の構造図である。
【図２】図１における２位置切替弁とレバー機構とを組み合わせた構造図である。
【図３】グリースポンピング装置の実施例１におけるレバー機構の構造図である。
【図４】（ａ）から（ｃ）は、それぞれ、図３におけるレバー機構のばねクリップ、第１レバー体、第２レバー体の構造図である。
【図５】図３におけるレバー機構で第１レバー体と第２レバー体とを組み合わせた構造図である。
【図６】図５の左側面図である。
【図７】（ａ）から（d）は、それぞれ、図３に示すレバー機構による駆動で、バルブコアが第１弁位置から第２弁位置に切り替えられる各位置の概略図である。
【図８】（ａ）から（ｄ）は、それぞれ、図３に示すレバー機構による駆動で、バルブコアが第２弁位置から第１弁位置へ切り替えられる各位置の概略図である。
【図９】グリースポンピング装置の実施例２におけるレバー機構の構造図である。
【図１０】（ａ）から（ｄ）は、それぞれ、図９に示すレバー機構による駆動で、バルブコアが第１弁位置から第２弁位置に切り替えられる各位置の概略図である。
【図１１】（ａ）から（ｄ）は、それぞれ、図９に示すレバー機構による駆動で、バルブコアが第２弁位置から第１弁位置に切り替えられる各位置の概略図である。
【図１２】グリースポンピング装置の実施例３におけるレバー機構の構造図である。
【図１３】（ａ）から（ｄ）は、それぞれ、図１２に示すレバー機構による駆動で、バルブコアが第１弁位置に切り替えられる各位置の概略図である（レバー機構は、簡略化して描かれている）。
【図１４】（ａ）から（ｄ）は、それぞれ、図１２に示すレバー機構による駆動で、バルブコアが第１弁位置から第２弁位置に切り替えられる各位置の概略図である（レバー機構は、簡略化して描かれている）。
【図１５】グリースポンピング装置の実施例４におけるレバー機構の構造図である。
【図１６】グリースポンピング装置の実施例５におけるレバー機構の構造図である。
【図１７】第１種類の２位置切替弁を有するグリースポンピング装置の原理図である。
【図１８】第２種類の２位置切替弁を有するグリースポンピング装置の原理図である。
【図１９】第３種類の２位置切替弁を有するグリースポンピング装置の原理図である。
【手続補正４】
【補正対象書類名】明細書
【補正対象項目名】００３２
【補正方法】変更
【補正の内容】
【００３２】
以下に、図７（ａ）から図７（ｄ）と図８（ａ）から図８（ｄ）とを参照して、この実施例におけるレバー機構５０が駆動機構により駆動されてバルブコア４２をどのように切替位置に移動させるかを具体的に説明する。
【手続補正５】
【補正対象書類名】明細書
【補正対象項目名】００３３
【補正方法】変更
【補正の内容】
【００３３】
まず、図７（ａ）から図７（ｄ）を参照する。図７（ａ）から図７（ｄ）は、図３に示すレバー機構による駆動で、バルブコアが第１弁位置から第２弁位置に切り替えられる各位置の概略図である。
【手続補正６】
【補正対象書類名】明細書
【補正対象項目名】００３８
【補正方法】変更
【補正の内容】
【００３８】
図８（ａ）から図８（ｄ）を再び参照する。図８（ａ）から図８（ｄ）は、図３に示すレバー機構による駆動で、バルブコアが第２弁位置から第１弁位置に切り替えられる各位置の概略図である。
【手続補正７】
【補正対象書類名】明細書
【補正対象項目名】００４３
【補正方法】変更
【補正の内容】
【００４３】
図１０（ａ）から図１０（ｄ）を参照する。図１０（ａ）から図１０（ｄ）は、図９に示すレバー機構による駆動で、バルブコアが第１弁位置から第２弁位置に切り替えられる各位置の概略図である。
【手続補正８】
【補正対象書類名】明細書
【補正対象項目名】００４７
【補正方法】変更
【補正の内容】
【００４７】
バルブコア４２が第２弁位置から第１弁位置に切り替えられる過程において、上記と同様であるので、ここではその説明を繰り返さない。具体的には図１１（ａ）から図１１（ｄ）を参照する。図１１（ａ）から図１１（ｄ）は、図９に示すレバー機構による駆動で、バルブコアが第２弁位置から第１弁位置に切り替えられる各位置の概略図である。
【手続補正９】
【補正対象書類名】明細書
【補正対象項目名】００５０
【補正方法】変更
【補正の内容】
【００５０】
図１３（ａ）から図１３（ｄ）を参照する。図１３（ａ）から図１３（ｄ）は、図１２に示すレバー機構による駆動で、バルブコアが第１弁位置に切り替えられる位置の概略図である。この実施例では、前記の２つの実施例の切替工程と同様に、図１３（ａ）に示すように、出力回転軸３１１が正転して弾性的トグル部材５３２が揺動アーム５３１の第２端部に当接する。その後、出力回転軸３１１が回転し続けて弾性的トグル部材５３２が揺動アーム５３１を回転付勢する。この弾性的トグル部材５３２は、揺動アーム５３１を回転付勢するのに十分な剛性を有していなければならず、この過程で揺動アーム５３１がバルブコア４２を引っ張って、図１３（ｂ）に示すように、第２弁位置から第１弁位置へ切り替える。
【手続補正１０】
【補正対象書類名】明細書
【補正対象項目名】００５１
【補正方法】変更
【補正の内容】
【００５１】
バルブコア４２が第１弁位置に切り替えられると、同様に、図１３（ｃ）に示すように、対応するストッパ４３に係止されて、バルブコア４２の移動が停止するとともに、揺動アーム５３１の回転が規制される。このとき、弾性的トグル部材５３２が揺動アーム５３１に当接したまま、出力回転軸３１１がさらに回転する。揺動アーム５３１が動作しなくなるので、弾性的トグル部材５３２は、図１３(ｄ)に示すように、規制されて弾性変形する。出力回転軸３１１の回転に伴って弾性的トグル部材５３２が揺動アーム５３１から離れる。離れた後に、反転時に揺動アーム５３１に当接して押圧するように、図１４（ａ）に示すように、弾性的トグル部材５３２が元の形に復帰する。
【手続補正１１】
【補正対象書類名】明細書
【補正対象項目名】００５２
【補正方法】変更
【補正の内容】
【００５２】
バルブコア４２が第１弁位置から第２弁位置に切り替えられる過程において、上記と同様であるので、ここではその説明を繰り返さない。具体的には図１４（ａ）から図１４（ｄ）を参照する。図１４（ａ）から図１４（ｄ）は、図１２に示すレバー機構による駆動で、バルブコアが第１弁位置から第２弁位置に切り替えられる位置の概略図である。
【手続補正１２】
【補正対象書類名】明細書
【補正対象項目名】００５７
【補正方法】変更
【補正の内容】
【００５７】
レバー機構５０の実施形態５は、図１６に示すように、この実施形態では、レバー機構５０は、揺動アーム５１１、回転アーム５１２およびばねクリップ５１３を備える。揺動アーム５１１の第１端部はバルブコア４２に枢着され、揺動アーム５１１の中間部は２位置切替弁４０の弁本体４１に枢着され、具体的にはピンを介して連結され、揺動アーム５１１の第２端部は回転アーム５１２の第１端部に枢着される。具体的には揺動アーム５１１の第２端部、回転アーム５１２の第１端部に貫通孔を開口して、ピンを介して両者を連結する。揺動アーム５１１と回転アーム５１２とは、ばねクリップ５１３の中に挟まれている。
【手続補正１３】
【補正対象書類名】明細書
【補正対象項目名】００６８
【補正方法】変更
【補正の内容】
【００６８】
図１９は、第３種類の２位置切替弁を有するグリースポンピング装置の原理図である。
【手続補正１４】
【補正対象書類名】図面
【補正対象項目名】図１６
【補正方法】変更
【補正の内容】
【図１６】
2021500522.tif 000001
【手続補正１５】
【補正対象書類名】図面
【補正対象項目名】図１８
【補正方法】変更
【補正の内容】
【図１８】
2021500522.tif 000002
【手続補正１６】
【補正対象書類名】図面
【補正対象項目名】図１９
【補正方法】変更
【補正の内容】
【図１９】
2021500522.tif 000003